(57)【要約】【課題】機器を確実に操作する。【解決手段】機器の動作を指示するリモコン操作機２と、リモコン操作機２からの指示を受けて作動する便器側機器３とを備え、リモコン操作機２は、使用者Ｍの指Ｍａが接触可能なリモコン側電極４と、リモコン側電極４を介して操作データを送出するデータ送信部５とを備え、便器側機器３は、着座使用者Ｍに面する機器側電極１１と、機器側電極１１を介して受信するデータ受信部１２と、データ受信部１２で受信した操作データに応じて機器を作動させる制御部１３とを備え、操作データをリモコン側電極４を介し使用者Ｍの体の一部を伝送路に用いて機器側電極１１へ伝送するようにした。【選択図】図２
2006322142.tif 000002
【特許請求の範囲】
【請求項１】
トイレ壁面又はトイレ室内に設置したキャビネット等の取付部に取付けられ、便器側機器の動作を指示するリモコン操作機と、リモコン操作機からの指示を受けて作動する便器側機器とを備えたトイレ用リモコン装置において、前記リモコン操作機は、使用者の指が接触可能なリモコン側電極と、アースと電気的に結合する回路グランドと、リモコン側電極を介して操作データを送出するデータ送信部とを備え、前記便器側機器は、便座に設けられて且つ着座使用者と接触可能な機器側電極と、機器側電極を介して受信するデータ受信部と、データ受信部で受信した操作データに応じて機器を作動させる制御部とを備え、前記操作データを前記リモコン側電極を介し使用者の体の一部を伝送路に用いて前記機器側電極へ伝送するようにしたことを特徴とするトイレ用リモコン装置。
【請求項２】
前記便器側機器が前記機器側電極を介して電源用電気を送出する電源供給部を備え、前記リモコン操作機が、前記機器側電極を介して電源用電気を受給して、前記データ送信部を起動させる発振部を備え、前記機器側電極を介し使用者の体の一部を伝送路に用いて前記リモコン側電極へ電源用電気を伝送するようにした請求項１記載のトイレ用リモコン装置。
【発明の詳細な説明】
【技術分野】
【０００１】
本発明は、トイレに設けられるリモコン装置に関するものである。
【背景技術】
【０００２】
従来、トイレ用リモコン装置は、便器側の機器（例えば、人体局部洗浄機、暖房便座等）の動作を指示するリモコン操作機と、リモコン操作機からの指示を受けて作動する便器側機器とを備え、リモコン操作機から便器側機器へ赤外線による無線で操作データを送信するようにしたものがある。リモコン操作機から発せられる赤外線は、壁や天井、床などで反射して便器側機器の受信部で受信するようになっている。
【特許文献１】特開平１１−１１７３６８号公報
【発明の開示】
【発明が解決しようとする課題】
【０００３】
しかし、赤外線の無線を用いたトイレ用リモコン装置は、赤外線を反射するトイレ室内の壁や天井、床など大きさや材質等がまちまちであるため、赤外線が便器側機器の受信部へ到達せずに、機器を確実に操作動作できないことがあり得る。更に、リモコン操作機は、送信用の電池を備えているため、電池交換を定期的に行う手間を必要とする。
そこで、本発明は、従来技術のこの欠点に鑑み創案したものであって、機器を確実に操作でき、また電池交換を必要としないトイレ用リモコン装置を提供することを目的とする。
【課題を解決するための手段】
【０００４】
機器を確実に操作するために請求項１記載の本発明が採用した手段は、トイレ壁面又はトイレ室内に設置したキャビネット等の取付部に取付けられ、便器側機器の動作を指示するリモコン操作機と、リモコン操作機からの指示を受けて作動する便器側機器とを備えたトイレ用リモコン装置において、前記リモコン操作機は、使用者の指が接触可能なリモコン側電極と、アースと電気的に結合する回路グランドと、リモコン側電極を介して操作データを送出するデータ送信部とを備え、前記便器側機器は、便座に設けられて且つ着座使用者と接触可能な機器側電極と、機器側電極を介して受信するデータ受信部と、データ受信部で受信した操作データに応じて機器を作動させる制御部とを備え、前記操作データを前記リモコン側電極を介し使用者の体の一部を伝送路に用いて前記機器側電極へ伝送するようにしたことを特徴とするトイレ用リモコン装置である。なお、複数の動作の中から任意の動作を選択できるようにするために、前記リモコン操作機が、複数個のリモコン側電極を備えると共に、各リモコン側電極毎に前記データ送信部を設け、リモコン側電極の選択で異なる操作データを送出できるようにすることもある。
【０００５】
リモコン操作機の電池交換をなくするために請求項２記載の本発明が採用した手段は、前記便器側機器が前記機器側電極を介して電源用電気を送出する電源供給部を備え、前記リモコン操作機が、前記機器側電極を介して電源用電気を受給して、前記データ送信部を起動させる発振部を備え、前記機器側電極を介し使用者の体の一部を伝送路に用いて前記リモコン側電極へ電源用電気を伝送するようにした請求項１記載のトイレ用リモコン装置である。
【発明の効果】
【０００６】
請求項１記載の本発明に係るトイレ用リモコン装置は、機器側電極に接触した着座使用者の指がリモコン側電極に接触すると、使用者の体の一部が伝送路となって操作データを機器側電極へ確実に伝送し、操作データに応じて制御部が機器の動作を確実に制御することができる。
【０００７】
請求項２記載の本発明に係るトイレ用リモコン装置は、機器側電極に接触した着座使用者が指をリモコン側電極に接触させると、使用者の体の一部が伝送路となって電源用電気を電源回路へ伝送するため、リモコン操作機が電池不要となり電池交換の必要性も無くなる。
【発明を実施するための最良の形態】
【０００８】
本発明に係るトイレ用リモコン装置（以下、「本発明リモコン装置」と言う。）を図面に示す実施形態に基づいて説明する。
【０００９】
（第１の実施の形態）
図１及び図２は本発明リモコン装置の第１の実施の形態を示すものであって、図１は使用状態の装置全体を示す側面図、図２はリモコン操作機及び便器側機器ブロック図である。
【００１０】
本例の本発明リモコン装置１は、機器の動作を指示するリモコン操作機２と、リモコン操作機２からの指示を受けて作動する便器側機器３とを備えている。リモコン操作機２は、トイレ壁面Ｗ又はトイレ室内に設置したキャビネット等の取付部に取り付けられ、便器側機器３は便器Ｂに配設される。
【００１１】
前記リモコン操作機２は、使用者Ｍの指Ｍａが接触可能な導電性のリモコン側電極４と、リモコン側電極４を介して操作データを送出するデータ送信部５とを備えている。データ送信部５は、送信する操作データ７に基づいて搬送波となる交流信号をアナログ変調又はデジタル変調する変調部８と、変調部８により変調された変調信号に対応する電圧をリモコン側電極４に印加する電圧印加部９と、アースＥと電気的に結合する回路グランド１０と、電池等からなる電源供給部６とを備えている。電圧印加部９は、出力インピーダンスを調整するインピーダンス調整部（図示略）を備えることもある。リモコン操作機２は、操作する機器の個数に応じてリモコン側電極４及びデータ送信部５の一組又は複数組（本例）を備えている。本例の如く複数組を備えるときには、各リモコン側電極４毎にデータ送信部５を設け、リモコン側電極４の選択で異なる操作データを送出して複数の動作（例えば、人体局部洗浄機の始動／停止や温風式乾燥機の始動／停止等）の中から任意の動作を選択できるようにしてある。
【００１２】
前記便器側機器３は、着座使用者Ｍに面する導電性の機器側電極１１と、機器側電極１１を介して受信するデータ受信部１２と、データ受信部１２で受信した操作データに応じて対応する機器１５，１６を作動させる制御部１３とを備えている。機器側電極１１は、便座Ｄの着座面Ｄａに露出するように設けられる。データ受信部１２は、アースＥと電気的に結合する回路グランド１４と、機器側電極１１を介して受信した変調信号を復調する復調部とを備え、復調して取り出した操作データを制御部１３へ送信するようにしてある。
【００１３】
前記リモコン操作機２の回路グランド１０及び前記便器側機器３の回路グランド１４が結合するアースＥは、大地アースの他に、トイレ室外に配設したアース配線とすることも可能である。リモコン操作機２の回路グランド１０は、リモコン操作機２を取付けた取付部であるトイレ壁等を介してアースＥと静電場結合させ、トイレ壁等を貫通する配線を省略することも可能である。
【００１４】
これらリモコン操作機２及び便器側機器３は、リモコン側電極４及び機器側電極１１に接触する使用者Ｍの体の一部を伝送路に用い、回路グランド１０，１４が結合するアースＥを介して閉回路を形成するようにしてある。本発明リモコン装置１は、便座Ｄに着座して機器側電極１１に臀部が接触した着座使用者Ｍの指Ｍａが選択したリモコン側電極４に接触すると、使用者Ｍの体の一部が伝送路となって操作データをリモコン側電極４から機器側電極１１へ確実に伝送し、操作データに応じて制御部１３が機器ドライバ１５又は１６の動作を制御する。
【００１５】
前記リモコン側電極４及び機器側電極１１は、使用者Ｍと直接接触可能に表面が露出するように設ける以外に、表面を絶縁性材料からなる被覆層で覆い、被覆層を介して間接的に接触させてもよい。この場合、リモコン側電極４及び機器側電極１１と使用者は、静電結合により電気的に結合し、操作データを伝送することができる。
【００１６】
本発明リモコン装置１は、リモコン操作機２の搬送波の周波数として例えば３００〜１６００ＫＨｚの範囲で選択され、変復調方式として例えばデジタル変調であるＡＳＫ（振幅シフトキーイング）変調等が選択される。
【００１７】
（第２の実施の形態）
図３は本発明リモコン装置の第２の実施の形態を示すものであり、リモコン操作機及び便器側機器ブロック図である。
【００１８】
本例の本発明リモコン装置２１は、前記第１の実施の形態に係る本発明リモコン装置１の構成の他に、リモコン操作機２の電池交換をなくするために、便器側機器３からリモコン操作機２へ電気を供給できる構成を付加してある。本例の本発明リモコン装置２１は、便器側機器３が、機器側電極１１を介して電源用電気を送出する電源供給部２２を備えると共に、リモコン操作機２が、リモコン側電極４を介して電源用電気を受給して、データ送信部５へ給電する発振部２３を備え、機器側電極１１を介し使用者の体の一部を伝送路に用いてリモコン側電極４へ電源用電気を伝送するようにしてある。電源供給部２２は、交流信号を生成する交流生成部と、交流信号に対応する電圧を機器側電極１１に印加する電圧印加部とを備え、回路グランド１４を介してアースＥと電気的に結合されている。便器側機器３は、電源供給部２２で生成する交流信号の周波数として例えば３００〜１６００ＫＨｚの範囲であって、前記リモコン操作機２の搬送波の周波数と異なる周波数を選択することで、操作データ搬送用の搬送波と混信させないようにするとよい。
【００１９】
本例の本発明リモコン装置２１は、機器側電極１１に接触した着座使用者Ｍが操作のために指Ｍａを選択したリモコン側電極４に接触させると、使用者Ｍの体の一部が伝送路となって電源用電気を発振部２３へ伝送するため、リモコン操作機２が電池不要となり電池交換の必要性も無くなる。その結果、電池不要となったリモコン操作機２は、厚み寸法を薄く構成することが可能となり、壁Ｗ等に対する取付けが簡単にできる。
【図面の簡単な説明】
【００２０】
【図１】本発明リモコン装置の第１の実施の形態を示すものであり、使用状態の装置全体を示す側面図である。
【図２】第１の実施の形態のリモコン操作機及び便器側機器ブロック図である。
【図３】本発明リモコン装置の第２の実施の形態のリモコン操作機及び便器側機器ブロック図である。
【符号の説明】
【００２１】
２…リモコン操作機、３…便器側機器、４…リモコン側電極、５…データ送信部、１１…機器側電極，１２…データ受信部、１３…制御部
【図１】
2006322142.tif 000003
【図２】
2006322142.tif 000004
【図３】
2006322142.tif 000005